(57)【要約】      （修正有）【課題】マイナスイオン健康セラミックスと、各種の健康エネルギー効果のある素材を組み合わせを混練して焼き上げ状態にし、身体に触れることにより自然に体質改善効果を得て自然に健康回復をかることを目的とする。【解決手段】マイナスイオンチップ材１として、健康効果のある遠赤外線セラミックス粒子Ａと、健康効果のある電気石Ｂ−１と石英閃緑岩Ｂ−２を主原料としてマイナスイオンセラミックス粒子Ａと、微弱磁性セラミックス炭化コバルトと粘土Ｃを混合し、チップ状にして高温で焼き付けしたものである。【選択図】図３
2007075553.tif 000002
【特許請求の範囲】
【請求項１】
健康効果のある遠赤外線セラミックス粒子と、マイナスイオンの健康効果を備えた電気石及び石英閃緑岩の微粒子を粘土と混練し、チップ状に形成して８００℃で一次焼きを施し、その外側を微弱な磁性エネルギーを有する炭化コバルト粒子と粘土とを混練して包み、高温二次焼きをして安定させた複合微弱エネルギーの健康効果の特徴のあるマイナスイオンチップ材。
【請求項２】
健康効果のある遠赤外線セラミックス粒子５％と、マイナスイオンの健康効果を備えた電気石及び石英閃緑岩の微粒子１５％を粘土８０％と混練してチップ状に形成して８００℃で一次焼き付けをなして、その外側を微弱磁性効果のある炭化コバルト粒子５％と粘土９５％を混練して包み、高温二次焼き付けを１３００℃にて実施し、健康効果を維持しつつ物性上の強度と無溶解性を確保したことを特徴としたマイナスイオンチップ材の製造方法である。
【発明の詳細な説明】
【技術分野】
【０００１】  本発明は、体質改善や健康増進に適当な遠赤外線やマイナスイオン及び微弱な磁性効果を発生する微弱エネルギー層を設けたマイナスイオンチップ材（以下チップ材と称す）とその製造方法に関するものである。
【背景技術】
【０００２】  近年の科学の発達に伴い、社会生活上の満足度高まるにつれて新しく健康に関する事項が注目を浴びて来ている。  有害な生活用品の排除とともに、より積極的に健康効果のある生活用品の開発が求められて来ている。  そのような時代の流れの中で遠赤外線やマイナスイオンを用いた日用品や健康器具などが数多く作られ、健康管理や増進のために利用されている。  しかし現実には、それらの製品のほとんどが健康効果について科学的検証に乏しく、因果関係の科学的立証に欠如しているものが大半である。  また、科学理論的説明も不十分で、学術的に納得の得られるものは少ない。それ故、高齢化社会にあって真の健康効果を有する用品の要望は高く、特に痛めた患部に対して、自然治癒効果の高い安定したチップ材の必需性は要請が多いと言える。
【発明の開示】
【発明が解決しようとする課題】
【０００３】  このように高齢化社会の中で、健康維持や増進のための様々なものが開発されている中で、真に自然治癒力を強化して自己治癒効果の高く物性的に安定した健康効果のあるチップ材の取り組みが遅れていて、多くの患者から現状へと不満と、有効な安定して長持ちするチップ材の開発への強い要請を数多く受けていた。
【課題を解決するための手段】
【０００４】  本発明はこのような不都合を微弱エネルギーを活用して解消し、患部に密着するだけで健康維持や増進に役立つことができる、物性的に安定し長持ちするチップ材とその製造方法を提供せんとするものである。  健康効果のある微弱エネルギーとして活用できる、健康効果のある遠赤外線セラミックス粒子５％と、マイナスイオン健康効果を備えた電気石及び石英閃緑岩の微粒子１５％を粘土８０％と混合してチップ状に形成して８００℃で一次焼き付けをなして、その外側を微弱な磁性効果を有する炭化ゴバルト粒子５％と粘土９５％を混合し、高温二次焼き付けを１３００℃にて実施し、健康効果を維持しつつ物性上の強度と無溶解性を確保した永久的な健康効果を維持する特徴を有したチップ材の製造方法に関するものである。
【発明の効果】
【０００５】  チップ材は、健康効果のある微弱エネルギーとして活用でき健康効果のある遠赤外線セラミックス粒子５％と、マイナスイオンの健康効果を備えた電気石及び石英閃緑岩の微粒子１５％を粘土８０％と混練してチップ状に形成して８００℃で一次焼き付けをなして、その外側を微弱磁性効果のある炭化コバルト粒子５％と粘土９５％を混練して包み、高温二次焼き付けを１３００℃にて実施し、健康効果を維持しつつ物性上の強度と無溶解性を確保した永久的な健康効果を維持する特徴を有するものである。  使用に当たっては、このチップ材を患部に密着させると、遠赤外線などの健康効果で体の深部まで暖め細胞活動を活性化させる。  また加えて、マイナスイオンの健康効果で、疲労によって人体の細胞内に蓄積されたプラスイオンを除去すると共に、健康効果のある微弱磁性効果と作用して、身体の新陳代謝を促進する。  こよのように、チップ材を使用することによって、身体が活性化し、体質改善に貢献する。
【発明を実施するための最良実施の形態】
【０００６】  以下本発明の実施例を図面について説明する。  図１は、チップ材を使用し着装した参照状態を示すものであるが、図３によりその構成を説明すると、  （１）はチップ材であって、（２）は首からの吊り下げを容易にするための紐である。  （３）はチップ材の一部に吊り下げた紐（２）の吊り下げを容易にする吊り下げ用穴を穿孔した各種形状を示したものであって、当該チップ材（１）は、粘土（Ｄ）に遠赤外線セラミックス粒子（Ａ）と電気石（Ｂ−１）及び石英閃緑岩（Ｂ−２）の粒子を混練させてチップ状に形成されたもので、８００℃で一次焼き付けをし、固形化した材料の外側に粘土（Ｄ）に炭化ゴバルト粒子を混練し高温で二次焼きによる二重構造としたものである。  そのマイナスイオンチップ材は、健康効果のある微弱エネルギーとして活用できる健康効果のある遠赤外線セラミックス粒子５％と、マイナスイオンの健康効果を備えた電気石及び石英閃緑岩の微粒子１５％を粘土８０％と混練してチップ状に形成して８００℃で一次焼き付けをなして、その外側を微弱磁性効果のある炭化コバルト粒子５％と粘土９５％を混練して包み、高温二次焼き付けを１３００℃にて実施し、健康効果を維持しつつ物性上の強度と無溶解性を確保した永久的な健康効果を維持する特徴を有するものである。  使用に当たっては、この健康マイナスイオンチップを館あ゛患部に密着させると、遠赤外線などの健康効果で体の深部まで暖め細胞活動を活性化させる。  また、マイナスイオンの健康効果で、疲労によって人体の細胞内に蓄積されたマイナスイオンを除去すると共に、健康効果のある微弱磁性効果と作用して、身体の新陳代謝を促進する。  このように、チップ材を使用することよって、身体が活性化し、体質改善と健康維持の促進をはかることが出来る。
【産業上の利用可能性】
【０００７】  上述の如く本発明は、健康効果のある遠赤外線セラミックス粒子と、マイナスイオンの健康効果を備えた電気石及び石英閃緑岩の微粒子を粘土と混練してチップ状に形成して、高温で一次え焼きを施し、その外側を微弱な磁性エネルギーを有する炭化コバルト粒子と粘土とを混練して包み、高温二次焼きをして安定させた微弱エネルギーの複合素材を形成したものであり、その微弱エネルギー複合効果によって体の皮膚より健康効果が浸透し、自然に細胞が活性化して、体質改善をはかる健康社会の建設にあたって画期的な優れた発明である。
【図面の簡単な説明】
【０００８】
【図１】本発明チップ材を人体に着装した状態図を示すものである
【図２】本発明の形状を示す参考図である
【図３】本発明の断面図である
【符号の説明】
【０００９】１    マイナスイオンチップ材２    吊り下用紐３    吊り下用穴Ａ    遠赤外線セラミックス粒子Ｂ−１  電気石Ｂ−２  石英閃緑岩Ｃ      炭化コバルト粒子Ｄ      粘土層
【図１】
2007075553.tif 000003
【図２】
2007075553.tif 000004
【図３】
2007075553.tif 000005